(57)【特許請求の範囲】
【請求項１】
水槽（Ｖ）内の貯留水を、サイフォン作用により吸い上げて水槽（Ｖ）の外へ排水するようにした、水槽内清掃具であって、
両端の開放された吸上パイプ（１）と、この吸上パイプ（１）の一端に連通接続される可撓性の導水パイプ（２）と、この導水パイプ（２）の先端に連通接続される伸縮筒（３）とよりなり、
前記伸縮筒（３）は、蛇腹よりなる伸縮胴部（６）と、その伸縮胴部（６）の一端に接続されて閉鎖可能な排水口（７1 ）を開口した排水パイプ（７）と、前記伸縮胴部（６）の他端に接続される前記導水パイプ（２）の接続用ジョイント（８）とを備え、
前記伸縮筒（３）の排水パイプ（７）には指掛け部（７2 ）が一体に形成されることを特徴とする、水槽内清掃具。
【請求項２】
前記排水パイプ（７）の排水口（７1 ）は、指先にて閉じられる大きさに形成されていることを特徴とする、前記請求項１記載の水槽内清掃具。
【発明の詳細な説明】
【０００１】
【発明の属する技術分野】
本発明は、金魚、熱帯魚、海水魚等の観賞魚の飼育、育成に使用される水槽内の貯留水、特にその底部の汚れた貯留水を水槽外に吸い上げて排水できるようにした、水槽内清掃具に関するものである。
【０００２】
【従来の技術】
水槽内で、金魚、熱帯魚等の観賞魚を飼育、育成するのには、一般に水槽に、内部式あるいは外部式の濾過装置およびエアポンプあるいは水中ポンプを付設し、そのポンプの駆動により、水槽内の貯留水を前記濾過装置内に強制循環させて浄化するようにしているが、かかる浄化手段だけでは、前記魚を飼育、育成するのに必要十分な水質が得られないため、従来から水槽内の水の取替えを定期的に行なうようにしており、かかる水替えの清掃具として、たとえば特公平６−５５０８７号公報のものが知られている。
【０００３】
【発明が解決しようとする課題】
ところで前記清掃具は、サイフォン作用を利用して吸上パイプにより水槽内の水を外部に吸い上げるようにしており、その吸上パイプにサイフォン作用を与えるべくその吸上パイプを水槽内でうまく操るのに、多少とも「こつ」が必要であり、誰にでも簡単に使用できるものではなかった。また吸上パイプ内にストレーナや一方向弁等を設けたものでは、それらに葉片等の異物が付着して清掃具内が詰まったり、弁が機能しなくなったりして、サイフォン作用による水の吸い上げが継続しなくなるという不具合があった。
【０００４】
本発明はかかる事情に鑑みてなされたものであり、前記不具合を解消し、誰にでも簡単に使用することができ、かつサイフォン作用による排水を能率よく確実に行なうことができるようにした、新規な水槽内清掃具を提供することを目的とするものである。
【０００５】
【課題を解決するための手段】
前記目的達成のため、本請求項１記載の発明によれば、水槽内の貯留水を、サイフォン作用により吸い上げて水槽の外へ排水するようにした、水槽内清掃具であって、両端の開放された吸上パイプと、この吸上パイプの一端に連通接続される可撓性の導水パイプと、この導水パイプの先端に連通接続される伸縮筒とよりなり、前記伸縮筒が、蛇腹よりなる伸縮胴部と、その伸縮胴部の一端に接続される閉鎖可能な排水口を開口した排水パイプと、前記伸縮胴部の他端に接続される前記導水パイプの接続用ジョイントとを備え、前記伸縮筒の排水パイプには指掛け部が一体に形成されることを特徴としており、かかる特徴によれば、誰にでも簡単、容易に水槽内の水替えを行なうことができ、しかも清掃具の内部には、弁等の水の流れを妨げるものが何も存在しないので、葉片等の異物によりその内部が詰まる心配がない。その上、前記伸縮筒の排水パイプに指掛け部が一体に形成されることで、伸縮筒の操作がし易くなる。
【０００６】
さらに前記目的達成のため、本請求項２記載の発明によれば、前記請求項１記載のものにおいて、前記排水パイプの排水口は、指先にて閉じられる大きさに形成されていることを特徴としており、かかる特徴によれば、前記諸効に加えて伸縮筒の操作が一層し易くなる。
【０００７】
【発明の実施の形態】
以下、本発明の実施形態を、添付図面に示した本発明の実施例に基づいて説明する。
【０００８】
図１は、本発明水槽内清掃具の全体側面図、図２は、図１の２矢視の伸縮筒の拡大側面図、図３は、図２の３線矢視図、図４は、伸縮筒の伸長時の縦断側面図、図５は、本発明水槽内清掃具の使い方を示す図、図６は、水槽内の水の排水状態を示す図である。
【０００９】
図１において、水槽Ｖ内清掃具は、吸上パイプ１、導水パイプ２および伸縮筒３とより構成されている。
【００１０】
吸上パイプ１は、硬質の透明な合成樹脂材により形成されており、水槽Ｖの外から、その水槽Ｖ内の底部まで届く長さに形成されると共に先端に吸込口４を開口した真っ直ぐな円筒状の本体部分１1 と、その本体部分１1 の基端に抜差自在に連通接続される円筒状の把手部分１2 とより構成されている。吸上パイプ１の把手部分１2 の端部内には、後述する導水パイプ２を連通接続するための接続口５が開口されている。
【００１１】
前記導水パイプ２は、塩化ビニールパイプ等よりなる可撓性の透明パイプにより構成されており、この導水パイプ２は、前記吸上パイプ１先端の吸込口４を水槽Ｖ内の底部に臨ませたとき、その導水パイプ２の他端が水槽Ｖよりも下方に達する長さに形成されている。導水パイプ２の一端は、前記吸上パイプ１の接続口５に抜差自在に連通接続され、またその他端は、後述する伸縮筒３の流入口８1 に連通接続される。
【００１２】
次に主に図２〜４を参照して伸縮筒３の構造について説明するに、この伸縮筒３は、透明もしくは半透明の薄い可撓性の合成樹脂材を以て、ブロー成形等により形成される伸縮胴部６の一端に、排水パイプ７を、またその他端にジョイント８をそれぞれ着脱可能に連通接続して構成されている。前記伸縮胴部６は、蛇腹よりなる筒体に形成した中間部分６1 の両端部に、それよりも径小な雄ネジ部分６2 ，６3 を一体に形成して構成されている。前記伸縮胴部６の中間部分６1 の蛇腹は、従来公知の構造を有し、図４に示すように、断面鋸歯状に形成されており、これに長手方向の引張外力を加えることにより伸長して、その引張外力を解除してもその伸長状態を保ち、またそれに長手方向の圧縮外力を加えることにより、図２に示すように収縮して、その圧縮外力を解除してもその収縮状態を保つようになっている。前記一方の雄ネジ部分６2 には、前記排水パイプ７が螺着されており、この排水パイプ７の排水口７1 は、指先で閉じることのできる大きさに形成されている。またこの排水パイプ７には、指掛け部７2 が一体に形成されており、この指掛け部７2 は、使用者の手の指を掛けられるように複数の凹部が形成されている。また他方の雄ネジ部６3 には、前記ジョイント８が螺着されており、このジョイント８の端部に、前記導水パイプ２を接続する流入口８1 が開口されている。
【００１３】
次にこの実施例の作用について、図５，６を参照して説明する。
【００１４】
図５（Ａ）に示すように、吸上パイプ１を水槽Ｖの貯留水内に進入させてその先端の吸込口４を水槽Ｖ内の底部に臨ませたのち、伸縮筒３の伸縮胴部６を収縮させた状態で、その伸縮筒３を一方の手で保持し、他方の手で指掛け部７2 を持ちながらその一つの指先で排水口７1 を閉じて伸縮胴部６を伸長させる。これにより、図５（Ｂ）に示すように、伸縮筒３は、伸長して容積が増し、その内部が負圧傾向となるので、水槽Ｖ内の水は吸上パイプ１および導水パイプ２を通って伸縮筒３に吸い上げられる。ここで図６に示すように排水口７1 を開き、その排水口７1 を下向きにして伸縮筒３を排水容器１０内に入れれば、サイフォン作用により水槽Ｖ内の水は吸上パイプ１、導水パイプ２および伸縮筒３を通って連続的に排水容器１０に導くことができる。このとき水の充満している伸縮筒３は重いので、妄りに排水容器１０から飛び出すことがなく、排水容器１０の周囲を汚すことがない。
【００１５】
なお、指掛け部７2 は、伸縮筒３を水槽Ｖの縁に吊り下げるための係止片として使用することができる。
【００１６】
以上、本発明の一実施例について説明したが、本発明はその実施例に限定されることなく、本発明の範囲内で種々の実施例が可能である。たとえば前記実施例では、伸縮筒の排水口は、指で閉じるようにしているが、この排水口に開閉蓋を設けてもよい。
【００１７】
【発明の効果】
以上のように本請求項１記載の発明によれば、清掃具は両端の開放された吸上パイプと、この吸上パイプの一端に連通接続される可撓性の導水パイプと、この導水パイプの先端に連通接続される伸縮筒とよりなり、前記伸縮筒は、蛇腹よりなる伸縮胴部と、その伸縮胴部の一端に接続される閉鎖可能な排水口を開口した排水パイプと、前記伸縮胴部の他端に接続される前記導水パイプの接続用ジョイントとよりなるので、誰にでも簡単、容易に水槽内の水替えによる清掃を行なうことができ、しかも清掃具の内部には、水の流れを妨げるものが何も存在しないので、葉片等の異物によりその内部が詰まる心配がない。その上、前記伸縮筒の排水パイプには、指掛け部が一体に形成されるので、伸縮筒の操作がし易くなる。
【００１８】
さらに本請求項２記載の発明によれば、前記請求項１記載のものにおいて、前記排水パイプの排水口は、指先にて閉じられる大きさに形成されているので、前記諸効に加えて伸縮筒の操作が一層し易くなる。
【図面の簡単な説明】
【図１】  水槽内清掃具の全体側面図
【図２】  図１の２矢視の伸縮筒の拡大側面図
【図３】  図２の３線矢視図
【図４】  伸縮筒の伸長時の縦断側面図
【図５】  水槽内清掃具の使い方を示す図
【図６】  水槽内の水の排水状態を示す図
【符号の説明】
１・・・・・・・・吸上パイプ
２・・・・・・・・導水パイプ
３・・・・・・・・伸縮筒
６・・・・・・・・伸縮胴部
７・・・・・・・・排水パイプ
７1 ・・・・・・・排水口
７2 ・・・・・・・指掛け部
８・・・・・・・・ジョイント
Ｖ・・・・・・・・水槽
【図１】
0003943694.tif 000002
【図２】
0003943694.tif 000003
【図３】
0003943694.tif 000004
【図４】
0003943694.tif 000005
【図５】
0003943694.tif 000006
【図６】
0003943694.tif 000007